(57)【要約】【課題】  施工しやすく、また容易に外すことのできない廊下灯の取付構造を提供する。【解決手段】  壁掛金具３は、廊下灯ハウジング１を引っ掛ける爪片１２と、廊下灯ハウジング１をビス止めするためのビス螺入孔１４とを有し、廊下灯ハウジング１は、前面が部屋番号表示領域Ｅ１と、患者表示領域Ｅ２と、復旧ボタンが配設されるボタン領域Ｅ３とから構成され、部屋番号表示領域Ｅ１の部屋番号表示カバー５を取り外した部位に壁掛金具３のビス螺入孔１４に対応したビス挿通孔１０ａを設けた。また、ビス１１には、テーパ状コイルバネ１８を巻装した。【選択図】  図１
2006263099.tif 000002
【特許請求の範囲】
【請求項１】
ナースコール装置の廊下灯を、壁面に取り付けられた壁掛金具に装着する廊下灯の取付構造であって、
前記壁掛金具は、廊下灯ハウジングを引っ掛ける引っ掛け爪と、前記廊下灯ハウジングをビス止めするためのビス螺入孔とを有し、前記廊下灯ハウジングは、前面が部屋番号が表示される部屋番号表示領域と、患者情報が表示される患者表示領域と、復旧ボタンが配設されるボタン領域とから構成され、前記部屋番号表示領域の表示カバーを取り外した部位及び前記ボタン領域の前記復旧ボタンを取り外した部位のうち少なくとも一方に前記ビス螺入孔に対応したビス挿通孔を備えたことを特徴とする廊下灯の取付構造。
【請求項２】
前記ビス挿通孔から前記ビス螺入孔に螺入するビスは、一方に拡径したテーパ状コイルバネを巻装して成ることを特徴とする請求項１記載の廊下灯の取付構造。
【請求項３】
前記ビスは、その軸部の径に比べてネジ部の径が大きく、且つ前記廊下灯ハウジングのビス挿通孔の挿入端部は、前記ネジ部の径に略等しい径で形成され、前記壁掛金具への螺着を解除した状態でもビスが抜け難いことを特徴とする請求項２に記載の廊下灯の取付構造。
【発明の詳細な説明】
【技術分野】
【０００１】
本発明は、ナースコール装置における廊下灯の取付構造に関し、特に壁掛金具を用いて取り付ける廊下灯の取付構造に関する。
【背景技術】
【０００２】
ナースコール装置の廊下灯は、通常、壁面に埋設されたスイッチボックスを利用して取り付けられる。この場合、壁掛金具がスイッチボックスの前面を覆うように配置され、スイッチボックスにネジ止め固定される。こうして壁面に固定した壁掛金具に廊下灯ハウジングの背部を構成するケース下をビス止めした後、ケース上を組み付けて廊下灯を取り付けたり、スイッチボックスに直接ケース下をビス止めして取り付けていた（例えば、特許文献１参照）。
【特許文献１】特開２００３−６９２４２号公報
【発明の開示】
【発明が解決しようとする課題】
【０００３】
このように、従来の取付構造は、廊下灯ハウジングを壁面にビス止めして固定している。これは、患者等がいたずらで機器を外したり、或いは持っていくのを防止するためであり、廊下灯ハウジングのうちケース下を壁掛金具或いは直接壁面に固定するのは、廊下灯ハウジングの前面からビス止めしたのでは見栄えが悪くなるためで、そのために施工が面倒であった。
そこで、本発明はこのような問題点に鑑み、施工がしやすく、また容易に外すことのできない廊下灯の取付構造を提供することを目的とする。
【課題を解決するための手段】
【０００４】
上記課題を解決する為に、請求項１に記載の発明は、ナースコール装置の廊下灯を、壁面に取り付けられた壁掛金具に装着する廊下灯の取付構造であって、壁掛金具は、廊下灯ハウジングを引っ掛ける引っ掛け爪と、廊下灯ハウジングをビス止めするためのビス螺入孔とを有し、廊下灯ハウジングは、前面が部屋番号が表示される部屋番号表示領域と、患者情報が表示される患者表示領域と、復旧ボタンが配設されるボタン領域とから構成され、部屋番号表示領域の表示カバーを取り外した部位及びボタン領域の復旧ボタンを取り外した部位のうち少なくとも一方にビス螺入孔に対応したビス挿通孔を備えたことを特徴とする。
この構成により、廊下灯ハウジングは壁掛金具に引っ掛けて保持した後、廊下灯前面から壁掛金具にビス止めされるので、施工し易いし、いたずら等による機器の取り外しを防ぐことができる。また、部屋番号表示カバーや復旧ボタンにより、ビスを隠すことができ、前面からビス止めしても見栄えが悪くなることがない。
更に、患者表示領域以外の部分で壁掛金具にビス止めするので、患者名等の表示の邪魔になることがないし、患者表示領域が液晶の場合であっても容易に対応できる。
【０００５】
請求項２の発明は、請求項１の発明において、ビス挿通孔からビス螺入孔に螺入するビスは、一方に拡径したテーパ状コイルバネを巻装して成ることを特徴とする。
この構成により、ビスを緩めればテーパ状コイルバネの弾性力によりビスは浮き上がるので、外れたのを認識し易く、廊下灯の取り外しやメンテナンスがし易い。また、テーパ状コイルバネは一方に拡径した形状なため、バネ圧縮時の厚みを薄くでき、ビス止め状態でビス頭部の突出量を小さくできる。
【０００６】
請求項３の発明は、請求項２に記載の発明において、ビスは、その軸部の径に比べてネジ部の径が大きく、且つ廊下灯ハウジングのビス挿通孔は、ネジ部の径に略等しい径で形成され、壁掛金具への螺着を解除した状態でもビスが抜け難いことを特徴とする。
この構成により、ビスを緩めても抜け落ち難くでき、作業性が向上する。
【発明の効果】
【０００７】
このように本発明によれば、廊下灯ハウジングは、壁掛金具に引っ掛けて保持した後、廊下灯前面から壁掛金具にビス止めされるので、施工し易いし、いたずら等による機器の取り外しを防ぐことができる。また、部屋番号表示カバーや復旧ボタンにより、ビスを隠すことができ、前面からビス止めしても見栄えが悪くなることがない。
更に、患者表示領域以外の部分で壁掛金具にビス止めするので、患者名等の表示の邪魔になることがないし、患者表示領域が液晶の場合であっても容易に対応できる。
また、テーパ状コイルバネをビスに巻装することで、廊下灯の取り外しやメンテナンスがし易いし、バネ圧縮時の厚みを薄くできる。
【発明を実施するための最良の形態】
【０００８】
以下、本発明を具体化した実施の形態を、図面に基づいて詳細に説明する。図１は本発明に係る廊下灯の取付構造の実施形態の一例を示す廊下灯の分解斜視図であり、１ａはケース上、１ｂはケース下、２はハウジング内に配置され、電子部品が搭載される基板、３は壁掛金具を示している。ケース上１ａとケース下１ｂとで廊下灯ハウジング１を構成している。
【０００９】
廊下灯ハウジング１の前面であるケース上１ａの前面は、部屋番号が表示されている部屋番号表示領域Ｅ１、病室内の個々の患者氏名等を表示する患者表示領域Ｅ２、患者からの呼び出し動作等をリセットするための復旧ボタンを設けたボタン領域Ｅ３から構成され、上部から、部屋番号表示領域Ｅ１、患者表示領域Ｅ２、ボタン領域Ｅ３と配置されている。部屋番号表示領域Ｅ１は、取り外し可能な部屋番号表示カバー５を有し、このカバー５に部屋番号が付されている。そして、カバー５を外した内面に各種設定をするための設定部６が設けられ、この内面の下部中央に壁掛金具３にビス止めするためのビス挿通孔１０ａが形成され、１１は挿通するビスを示している。
また、ボタン領域Ｅ３は、平面状の復旧ボタン７が取り外し可能に設けられ、押圧操作で動作するスイッチ（図示せず）が内面に設けられている。
【００１０】
基板２は、部屋番号表示領域Ｅ１、患者表示領域Ｅ２、ボタン領域Ｅ３の全体に亘る大きさを有し、中央上部にビス挿通孔１０ｂが形成されている。この基板２は、ビス８によりケース上１ａにビス止め固定される。また、ケース下１ｂの上部中央にもビス挿通孔１０ｃが形成されている。
【００１１】
一方、壁掛金具３は、廊下灯ハウジング１を引っ掛けて保持する爪片１２を左右端部に２箇所づつ有し、中央に大きな配線挿通口１３が形成されている。そして、上部中央に廊下灯ハウジング１をビス止め固定するためのビス螺入孔１４が形成されている。
【００１２】
次に、廊下灯を壁面へ取り付ける手順を説明する。まず、壁掛金具３を壁面にビス止めして固定する。この際、図示しない壁面内のスイッチボックスへ固定する場合は、配線挿通口１３の上下部位に形成された長孔１６がビス止めに使用され、壁面に直接取り付ける場合は４隅に穿設した丸孔１７が使用される。
【００１３】
そして、部屋番号表示カバー５を取り外した状態のケース上１ａに基板２を組み付けると共に、ビス８によりケース下１ｂを嵌め合わせて廊下灯ハウジング１を製品状態にする。このとき、ケース上１ａのビス挿通孔１０ａと、基板２のビス挿通孔１０ｂと、ケース下１ｂのビス挿通孔１０ｃは合致して重ね合わさる。
こうして一体化した廊下灯ハウジング１を、壁掛金具２の爪片１２に引っ掛けて保持させ、廊下灯ハウジング１前方からビス挿通孔１０ａにテーパ状コイルバネ１８を装着したビス１１を挿入する。尚、ケース下１ｂの背面には爪片１２に対応した位置に嵌合溝が形成されている。
【００１４】
テーパ状コイルバネ１８は、一方に拡径して三角錐形状を成すコイルバネであって、圧縮時にコイル自体で互いに重ならない角度で拡径され、圧縮状態ではほぼコイルの線径分の厚みとなるものが使用されている。
３つのビス挿通孔１０ａ，１０ｂ，１０ｃに一気に挿入されたビス１１は、壁掛金具３のビス螺入孔１４に達し、螺入操作により廊下灯ハウジング１は壁掛金具３にビス止めされる。
【００１５】
こうして、ビス止めした状態を図２に示す。図２は、ビス止め部の断面を示している。この図２に示すように、ビス１１は先端のネジ部１１ａが軸部１１ｂより大きな径で形成され、ケース上１ａに形成されたビス挿通孔１０ａは、最も細い部位がネジ部１１ａにほぼ等しい径で形成されている。また、前方から後部にかけて（図面上から下に向けて）窄めて形成され、ビス１１が、廊下灯ハウジング１から外れ難い構成となっている。
また、ビス１１はフランジ部１１ｃを有し、フランジ部１１ｃによりテーパ状コイルバネ１８を無理なく押さえ込み、ビス止め時のテーパ状コイルバネ１８の厚みをその１本の線径分に抑えている。そして、ビス１１による固定が終了したら、部屋番号表示カバー５を爪などの所定の手段により固定してビス１１を覆い隠す。
【００１６】
廊下灯ハウジング１を壁掛金具３から取り外す場合には、部屋番号表示カバー５を外し、ビス１１を緩める。このとき、テーパ状コイルバネ１８の弾性力により螺着が解除されるとビス１１は浮き上がるので、容易に壁掛金具３から分離したことが判る。更に、いったん外れたビス１１が浮き上がることで、廊下灯ハウジング１を取り外す作業中に壁掛金具３にビス１１が係合して外れ難くなるのを防ぐことができる。
【００１７】
このように、廊下灯ハウジングは壁掛金具に引っ掛けて保持した後、廊下灯前面から壁掛金具にビス止めされるので、施工し易いし、いたずら等による機器の取り外しを防ぐことができる。また、部屋番号表示カバーによりビスを隠すことができ、前面からビス止めしても見栄えが悪くなることがない。
更に、患者表示領域以外の部分で壁掛金具にビス止めするので、患者名等の表示の邪魔になることがないし、患者表示領域が液晶の場合であっても容易に対応できる。
また、ビスを緩めればテーパ状コイルバネの弾性力によりビスは浮き上がるので、外れたのを認識し易く、廊下灯の取り外しやメンテナンスがし易いし、テーパ状コイルバネを用いることで、ビス止め状態でビスの突出量を小さくできる。
また、ケース上のビス挿通孔の径はビスに対して余裕が無いので、螺着が解除されたビスがテーパ状コイルバネの付勢により浮き上がっても、抜け落ちるような事がなく、作業し易い。
【００１８】
尚、上記実施形態では、ビス止め部を部屋番号表示領域Ｅ１に設けたが、ボタン領域Ｅ３に設けてもよく、復旧ボタンによりビスを隠すことができる。また、部屋番号表示領域Ｅ１とボタン領域Ｅ３の双方に設けても良い。
【図面の簡単な説明】
【００１９】
【図１】本発明に係る廊下灯の取付構造の実施形態の一例を示す分解斜視図である。
【図２】ビス止め構造の断面説明図である。
【符号の説明】
【００２０】
１・・廊下灯ハウジング、１ａ・・ケース上、１ｂ・・ケース下、３・・壁掛金具、５・・部屋番号表示カバー、７・・復旧ボタン、１０ａ，１０ｂ，１０ｃ・・ビス挿通孔、１１・・ビス、１１ａ・・ネジ部、１１ｂ・・軸部、１２・・爪片、１４・・ビス螺入孔、１８・・テーパ状コイルバネ。
【図１】
2006263099.tif 000003
【図２】
2006263099.tif 000004